(57)【特許請求の範囲】
【請求項１】
深井戸管を洗浄する装置において、高圧水を供給する高圧ホースの先端に中央管を接続し、該中央管の下端には複数の噴射ノズルを取着した回転体が回転出来るように取付けられ、噴射ノズルから噴射する高圧水の圧力が逃げることなく周囲にも作用するように、しかも洗浄装置が傾かないように上記噴射ノズルの上方には複数枚の遮蔽板を所定の間隔をおいて取付け、上記遮蔽板はゴム製円板で外径の小さい金属板にて挟み込んで外周部に上記ゴム製円板が露出する構造とし、深井戸管に嵌ることが出来る外径寸法としたことを特徴とする深井戸管内の洗浄装置。
【請求項２】
上記遮蔽板を上部遮蔽板と下部遮蔽板で構成した請求項１記載の深井戸管内の洗浄装置。
【請求項３】
遮蔽板には撓み変形する板バネを複数個所に取付け、板バネは遮蔽板外周より外方向へ張り出して取付けた請求項１、又は請求項２記載の深井戸管内の洗浄装置。
【発明の詳細な説明】
【技術分野】
【０００１】
本発明は消雪装置用、工業用、農業用、上水水源用等の深井戸管内の汚れを除去し、特に深井戸管に設けているストレーナの一部が損傷又は破損し、該ストレーナに付着した泥やその他の異物により目詰まりを起こし、水が上がり難くなった該ストレーナを洗浄することが出来る洗浄装置に関するものである。
【背景技術】
【０００２】
日本国内では１００万本といわれる本数の深井戸が設けられているが、この深井戸管のストレーナは目が細かくて泥や砂、サビ、水藻等の異物が付着して目詰まりを発生する。その結果、水が上がり難く、深井戸としての機能を失ってしまう。例えば消雪装置用としての深井戸の場合であれば１年のうち冬期だけ使用する為に、水を使用しない期間に深井戸管内に泥やその他の異物が付着してしまう。勿論、常に使用している井戸の場合であっても目詰まりを発生する。
【０００３】
付着した泥等の異物は乾いて固まり、使用する時には目詰まりを起こして水が上がりにくくなる。それを繰り返して長年経過した後、地下水の流れが低下して水圧が弱くなったところでストレーナの洗浄が行なわれて来ている。ところで、従来の深井戸管内のストレーナの洗浄方法としては、櫓を立ててワイヤーブラシを挿入し、該ワイヤーブラシを上下に動かして洗浄したり、或は深井戸管内に差し水を行なってポンプで上下に移動し、水圧により洗浄を行なっている。また、空気を井戸管内に注入して洗浄する方法もある。
【０００４】
しかしワイヤーブラシでストレーナ面を擦ったり、又は差し水を上下方向に移動するだけでは、該ストレーナの奥深くまで入り込んでいる泥やその他の異物を取除くことが出来ない。すなわち、ストレーナの穴に入り込んだ目詰まりを十分に解消することは出来ない。
そこで、回転しながら高速で水を噴射して汚れを除去すると共にストレーナの目詰まりを解消することが出来る洗浄装置が知られている。
【０００５】
例えば、特開２００２−１９２０９４号に係る「深井戸管内の洗浄方法及び洗浄装置」は、深井戸の内面に付着した泥やその他の異物を、簡単にしかも効率よく取除くことが出来る洗浄方法である。すなわち、超高圧水ホースの先端に洗浄装置を連結し、該ホースと共に洗浄装置を深井戸に降ろし、洗浄装置に備えている噴射ノズルから超高圧水を回転しながら噴射して付着している汚れを除去することが出来る。
【０００６】
上記噴射ノズルから超高圧水が回転しながら噴射し、これが井戸内面に当たることで付着している汚れが除去される。
図３は従来の深井戸管内の洗浄装置を示す具体例であり、下端には回転体（イ）が回転出来るように取付けられ、この回転体（イ）の外周には複数の噴射ノズル（ロ）、（ロ）・・・を取着している。
【０００７】
そして、噴射ノズル（ロ）、（ロ）・・・の上方にはガイドフレーム（ハ）を設けている。上記噴射ノズル（ロ）、（ロ）・・・は回転しながら高圧水を噴射して井戸管内面に噴き付けることが出来るが、高圧水を噴射する反動によって噴射ノズル（ロ）、（ロ）・・・は傾こうとするが、上記ガイドフレーム（ハ）を備えることで該噴射ノズル（ロ）、（ロ）・・・の傾きが防止される。高圧水は中央管（ニ）を流れて噴射ノズル（ロ）、（ロ）・・・から噴射する。
ここで、上記ガイドフレーム（ハ）は複数本を有して、間に空間を設けた円筒形をしており、深井戸管の内部に嵌る形状としている。
【０００８】
一方、噴射ノズル（ロ）、（ロ）・・・から高圧水を噴射しても、噴射された高圧水は拡散してしまい、ピンポイントで深井戸内面に高圧水は噴き付けられるが、その周囲での圧力は低下してしまう。
【特許文献１】特開２００２−１９２０９４号に係る「深井戸管内の洗浄方法及び洗浄装置」
【発明の開示】
【発明が解決しようとする課題】
【０００９】
このように、従来の洗浄方法には上記のごとき問題がある。本発明が解決しようとする課題はこの問題点であり、噴射ノズルから噴射する高圧水は、ダイレクトに当たるポイントのみならず、周囲にも噴射する高圧水が作用するように、すなわち圧力が逃げないように遮蔽板を取付けた深井戸管内の洗浄装置を提供する。
【課題を解決するための手段】
【００１０】
本発明に係る洗浄方法に用いる洗浄装置は、水を高速で噴射する噴射ノズルを備え、この噴射ノズルは主軸を中心として回転することが出来る。すなわち、水を高速噴射することで、その反力によって噴射ノズルは回転することが出来る構造としている。そして、洗浄装置は超高圧洗浄車から延びる高圧ホースの下端に連結されていて、該洗浄装置へは超高圧洗浄車から高圧水が送られて噴射ノズルから回転しながら噴射することが出来る。この方式は従来と共通している。
【００１１】
本発明の深井戸管内の洗浄装置は、上記噴射ノズルの他に遮蔽板を備え、該遮蔽板は噴射ノズルの上方に取付けられ、しかも該遮蔽板は所定の間隔をおいて複数枚設けている。遮蔽板は円板形をなし、深井戸管の内面に近接する大きさとしている。そして、遮蔽板の材質は限定しないが、一般的にはゴム板の両面を金属板（例えばステンレス板）にて挟み込んだ形状としている。そして、外周には上記ゴム板の外周が露出して深井戸管の内面に接しても深井戸管をキズ付けないようにしている。
【発明の効果】
【００１２】
本発明の洗浄装置は、その下端に取付けた噴射ノズルから高圧水が噴射し、該高圧水によって深井戸管の内面に付着している泥や砂、さらには汚れが除去される。そして、該洗浄装置は上記噴射ノズルの上方に円板形の遮蔽板が取付けられ、その為に噴射ノズルから噴射する高圧水は、上記遮蔽板によって遮蔽される。従って、遮蔽板によって深井戸管内部が仕切られた状態となり、遮蔽板より下側の深井戸管内の水圧は高くなり、内面に付着している汚れは除去される。特に、ストレーナの穴に入り込んだ砂や泥を除去することが出来る。
すなわち、遮蔽板を２重、３重構造にすることで噴射ノズルから噴射する高圧水の旋回水流の搬送能力は格段に向上する。
【００１３】
洗浄装置には複数枚の遮蔽板が所定の間隔をおいて取付けられている為に、噴射ノズルから噴射する高圧水によって深井戸管内の圧力低下が抑制され、複数枚の円板形をした遮蔽板が深井戸管の内面に近接又は接触することで洗浄装置が位置決めガイドされ、傾くことはない。そして、遮蔽板の外周にはゴム板が露出することで、深井戸管の内面が遮蔽板によってキズ付くことはない。
【図面の簡単な説明】
【００１４】
【図１】深井戸管内に挿入して洗浄する様子を表している概略図。
【図２】本発明に係る洗浄装置を示す具体例。
【図３】従来の洗浄装置の具体例。
【発明を実施するための形態】
【００１５】
図１は本発明に係る深井戸の洗浄方法を示す概略図である。同図の１は深井戸管、２は洗浄装置を表し、深井戸管１に洗浄装置２を降ろして深井戸管のストレーナ３に付着した汚れを落としている洗浄作業を示している。洗浄装置２は超高圧洗浄車（図示なし）のドラムに巻付いている高圧ホース４を巻き戻し、深井戸管１の真上に配置している滑車に巻き付いて該高圧ホース４は深井戸管１の内部に真っ直ぐに降ろされる。
【００１６】
深井戸管１の一部にはストレーナ３が設けられ、このストレーナ３は地下水が深井戸管１に進入することが出来る構造と成っている。ここで、ストレーナ構造は特に限定しないが、該ストレーナ３は周囲に多数の小さい穴５，５・・・を有す筒と、該筒の外周には上下方向に延びている複数本の枕線（図示なし）を等間隔で設け、さらに枕線の外周には巻線（図示なし）が間に僅かな隙間を残して捲き付けされている。
【００１７】
そこで、地下水は該ストレーナ３に形成している僅かな隙間を通過して深井戸管内に流れ込むことが出来る。深井戸管１の一部に設けているストレーナ３には特に汚れが付着し、巻線の僅かな隙間及び小さな穴５，５・・・には泥や砂が詰まってしまい、地下水がストレーナ３を通過して深井戸管１内に流れ込まないようになる。そこで、洗浄装置２の噴射ノズル６，６・・・から高圧水を噴射することで、深井戸管１のストレーナ３の穴５，５・・・及び巻線の隙間に詰まった泥や砂を除去することが出来る。
【００１８】
該洗浄装置２は高圧ホース４の下端に取付けられ、そして洗浄装置２には複数の噴射ノズル６，６・・が備わっていて、高圧水を回転しながら噴射することで付着している汚れを洗い落とすことが出来る。
そして、本発明の洗浄装置２は下端の噴射ノズル６，６・・・の他に、上部遮蔽板７と下部遮蔽板８を取付けている。
【００１９】
図２は上記洗浄装置２を示している具体例である。洗浄装置２は高圧ホース４の下端に連結されているが、中央には中央管９を有し、この中央管９の下端に上記噴射ノズル６，６・・・を取着した回転体１０が回転出来るように取付けられている。複数の噴射ノズル６，６・・・は高圧水が噴射する際の反力がバランスする位置に設けられ、高圧ホース４から中央管９を流れた水が噴射ノズル６，６・・・から勢いよく斜め外方向へ噴射し、その反力によって噴射ノズル６，６・・・は回転体１０と共に回転することが出来る。
【００２０】
ここで、回転体１０の具体的な取付け構造は特に限定せず、回転体１０の４方には噴射ノズル６，６・・・が取付けられて斜め外方向へ延びている。
また、本発明は上記噴射ノズル６の具体的な形態及びその構造に関しても限定しない。さらに噴射ノズル６，６・・・の取付け構造に関して、斜め外方向（半径方向に対して僅かに傾いた方向）に限定するものでない。
【００２１】
例えば、噴射ノズル６，６・・・を回転体１０の中心から位置ズレして取付けることで、噴射ノズル６，６・・・から噴射する水の反力により回転体１０は所定の方向に回転する。したがって、４本の噴射ノズル６，６・・・は回転しながら水を噴射して深井戸管１の内面に万遍なく吹き付けることが出来、ストレーナを洗浄して詰まっている泥や砂を洗い落すことが出来る。
【００２２】
ところで、上記噴射ノズル６，６・・・を取付けた回転体１０の上方には下部遮蔽板８を、さらに上方には上部遮蔽板７を取付けている。この上下遮蔽板７，８は円板形を成し、その大きさ（直径）は深井戸管１に嵌ることが出来る外径寸法としている。
上下遮蔽板７，８の具体的な構造は限定しないが、ゴム製円板１１を金属板１２，１２にて挟み込んで構成することが出来る。金属板１２，１２の外径はゴム製円板１１より小さくて、外周にはゴム製円板１１の外周部が露出し、そこで、ゴム製円板１１の外周が深井戸管１の内面に接触するようにしている。
【００２３】
洗浄装置２は前記図１に示すように深井戸管１に挿入されて奥深くヘ降ろされ、高圧水を噴射ノズル６，６・・・から噴射しながら回転することで管内面およびストレーナ３の穴５，５・・・に詰まっている汚れを除去することが出来る。そして洗浄装置２の上部には上下遮蔽板７，８が取付けられている為に、噴射する高圧水は上下遮蔽板７，８に遮られて上方へは上がらない。したがって、高圧水の噴射に伴って上昇する水圧の低下が抑えられ、ストレーナ３に付着している汚れは除去され易くなる。特に、本発明の洗浄装置２は２枚の上下遮蔽板７，８を取付けている為に、水圧の低下を抑制する効果は大きい。
【００２４】
一方、本発明の洗浄装置２は中央管９に上部遮蔽板７と下部遮蔽板８を所定の間隔をおいて取付けている為に、深井戸管１に進入した洗浄装置２は位置決めされる。すなわち、複数の噴射ノズル６，６・・・から噴射する高圧水の反力によって洗浄装置２が傾かないようにバランスしているが、上部遮蔽板７と下部遮蔽板８を所定の間隔をおいて取付けることで、該洗浄装置２は傾くことなく位置決めされる。
【００２５】
図２に示す上部遮蔽板７及び下部遮蔽板８はゴム製円板１１を金属板にて挟み込んだ構造としているが、金属製の円板表面に撓み変形する複数枚のバネ板を取付け、該バネ板は遮蔽板の外周より僅か外方向へ突出して構成することもある。この場合、上記バネ板は洗浄装置２をガイドすると共に、深井戸管１の損傷を防止することが出来る。
【符号の説明】
【００２６】
１  深井戸管
２  洗浄装置
３  ストレーナ
４  超高圧水ホース
５  穴
６  噴射ノズル
７  上部遮蔽板
８  下部遮蔽板
９  中央管
10  回転体
11  ゴム製円板
12  金属板
【図１】
0006383332.tif 000002
【図２】
0006383332.tif 000003
【図３】
0006383332.tif 000004